(57)【要約】【課題】軽い操作力で操作可能とすることにより、操作性が良好で、しかも、押し戻し力によっては、操作部が移動しないように保持されるケーブル式可動部材の操作装置を提供する。【解決手段】操作ノブ部９に連結される操作プーリ１０と、エアミックスドア３に連動する従動プーリ１１とを連結するワイヤケーブル６と、操作プーリ１０の回転軸部材１４に設けられて、操作ノブ部１７からの回転操作を許容すると共に、従動プーリ１１側からの回転を阻止するバネ状部材１５を設けている。  このバネ状部材１５は、操作ノブ位置から、エアコンユニット２内の風量の増量で、筒状操作プーリ部材１６に、押し戻し力が伝えられて左右廻りに回転が開始されると、長孔部１６ｃ，１６ｃの側端縁が、バネ状部材１５の一端部１５ｂに当接して、両端部１５ｂ，１５ｂ間を閉塞する方向へ押圧してバネ本体部１５ａを軸受け筒部１３ｃの外周面に締付固定させてロックする。【選択図】図１
2008222046.tif 000002
【特許請求の範囲】
【請求項１】
操作部に連結される操作プーリと、可動部材に連動する従動プーリと、該操作プーリの回転を前記従動プーリに伝達させるコントロールケーブルと、前記操作プーリの回転軸若しくは、該従動プーリの回転軸との少なくとも何れか一方に設けられて、該操作プーリ側からの回転操作を許容すると共に、前記従動プーリ側からの回転を阻止するバネ状部材を設けてなることを特徴とするケーブル式可動部材の操作装置。
【請求項２】
前記バネ状部材は、前記回転軸の周縁に巻き廻されたバネ本体部の外周縁から、両端部を外側方へ向けて突出させてなる弦巻バネ状を呈して、前記回動軸の軸受け筒部の外周面に対して、前記両端部の閉塞方向への移動で、該バネ本体部が、締付固着されると共に、該両端部の拡開方向への移動で、該バネ本体部が、外周面に沿って、回動自在となるように構成されていて、しかも、前記回転軸と一体に設けられた軸側筒状部と、コントロールケーブルが一体に設けられてなるケーブル側筒状部材とを、同軸状に回動可能としつつ、各筒状側面部を重複させて設けて、該各筒状側面部には、前記各端部を挿通する長孔部を形成し、該長孔部の内周縁部に、該端部を各々当接させることにより、該弦巻バネの両端部間を、閉塞若しくは拡開方向に移動させることを特徴とする請求項１記載のケーブル式可動部材の操作装置。
【発明の詳細な説明】
【技術分野】
【０００１】
本発明は、主に、自動車等、車両の空調装置等に用いられるケーブル式可動部材の操作装置に関するものである。
【背景技術】
【０００２】
従来、図９及び図１０に示すようなケーブル式可動部材の操作装置が知られている（例えば、特許文献１参照）。
【０００３】
まず、構成から説明すると、このケーブル式可動部材の操作装置では、主に、車室前方のインストルメントパネル１内に、図１０に示すようなエアコンユニット２が内蔵されている。
【０００４】
このエアコンユニット２の内部には、エバポレータ７とヒータコア８との間に、エアミックスドア３が揺動自在に装着されている。
【０００５】
また、図９に示すようなインストルメントパネル１の車室内側面には、コントローラ４の温度設定レバー５が、揺動軸部５ａを回動中心として、略水平方向にスライド操作可能に装着されている。
【０００６】
そして、この温度設定レバー５は、前記エアミックスドア３と接続されるワイヤケーブル６を介して、水平方向のスライド量に応じた揺動量を、前記エアミックスドア３に伝達するように構成されている。
【０００７】
次に、この従来例のケーブル式可動部材の操作装置の作用効果について、説明する。
【０００８】
このように構成されたケーブル式可動部材の操作装置では、前記温度設定レバー５が、水平方向にスライド移動されると、水平方向のスライド量に応じた揺動量が、ワイヤケーブル６を介して、前記エアミックスドア３に伝達される。
【０００９】
前記エアミックスドア３では、揺動量に応じて、車室内に送風される前記温冷風の風量分配が変更されて、所望の吹き出し空気温度を得ることが出来る。
【特許文献１】特開昭５８−２１１９１０号公報（発明の詳細な説明、第４図、第５図）
【発明の開示】
【発明が解決しようとする課題】
【００１０】
しかしながら、このように構成された従来のケーブル式可動部材の操作装置では、近年、前記エアコンユニット２の性能向上に伴う風量の増加で、前記エアミックスドア３に加わる風圧が、増大して前記温度設定レバー５が、押し戻されるといった現象が生じている。
【００１１】
このようなエアミックスドア３に加わる押し戻し力に対抗するため、前記温度設定レバー５に設けられているクリック力を強くして、この押し戻し力が加わっても、温度設定レバー５が、操作されている位置に保持されるように構成されている。
【００１２】
このため、温度調整レバー５の操作力が増大することとなり、操作性が低下してしまうといった問題もあった。
【００１３】
そこで、この発明は、軽い操作力で操作可能とすることにより、操作性が良好で、しかも、押し戻し力によっては、操作部が移動しないように保持されるケーブル式可動部材の操作装置を提供することを課題としている。
【課題を解決するための手段】
【００１４】
上記目的を達成するために、請求項１に記載された発明は、操作部に連結される操作プーリと、可動部材に連動する従動プーリと、該操作プーリの回転を前記従動プーリに伝達させるコントロールケーブルと、前記操作プーリの回転軸若しくは、該従動プーリの回転軸との少なくとも何れか一方に設けられて、該操作プーリ側からの回転操作を許容すると共に、前記従動プーリ側からの回転を阻止するバネ状部材を設けてなるケーブル式可動部材の操作装置を特徴としている。
【００１５】
また、請求項２に記載されたものは、前記バネ状部材が、前記回転軸の周縁に巻き廻されたバネ本体部の外周縁から、両端部を外側方へ向けて突出させてなる弦巻バネ状を呈して、前記回動軸の軸受け筒部の外周面に対して、前記両端部の閉塞方向への移動で、該バネ本体部が、締付固着されると共に、該両端部の拡開方向への移動で、該バネ本体部が、外周面に沿って、回動自在となるように構成されていて、しかも、前記回転軸と一体に設けられた軸側筒状部と、コントロールケーブルが一体に設けられてなるケーブル側筒状部材とを、同軸状に回動可能としつつ、各筒状側面部を重複させて設けて、該各筒状側面部には、前記各端部を挿通する長孔部を形成し、該長孔部の内周縁部に、該端部を各々当接させることにより、該弦巻バネの両端部間を、閉塞若しくは拡開方向に移動させるケーブル式可動部材の操作装置を特徴としている。
【発明の効果】
【００１６】
このように構成された請求項１記載の発明は、前記バネ状部材によって、操作プーリ側からの回転操作が許容される。
【００１７】
しかも、押し戻し力によっては、前記従動プーリ側からの回転が阻止されて、前記操作部が、移動しないように保持される。
【００１８】
このため、例えば、風量の増量で、エアミックスドア等、従属プーリ側に連結された部材に加わる押し戻し力が増加しても、操作プーリに連結された操作部が移動する虞がない。
【００１９】
従って、従来のように、クリック力を増大させる必要が無く、軽い操作力で、前記操作部を操作出来、操作性が良好である。
【００２０】
また、請求項２に記載されたものは、前記操作部の操作により、前記軸側筒状部、又は、コントロールケーブルが一体に設けられてなるケーブル側筒状部材の何れかが、回動されると、前記長孔部の周縁に、前記バネ本体部の外周縁から突出された端部が、当接して、両端部が、拡開方向に移動されることにより、該バネ本体部が、前記軸受け筒部の外周面に沿って、回動自在となる。
【００２１】
このため、前記操作部による操作プーリの回動動作は許容されて、該操作プーリの回転が、コントロールケーブルを介して、前記従動プーリに伝達される。
【００２２】
従って、前記操作部側からの可動部材の操作が可能となる。
【００２３】
また、前記可動部材側から、押し戻し力が加わると、前記軸側筒状部、又は、コントロールケーブルが一体に設けられてなるケーブル側筒状部材の何れかが、回動されても、前記長孔部の周縁に、前記バネ本体部の外周縁から突出された端部が、当接して、両端部間が、閉塞方向に移動されることにより、該バネ本体部が、前記軸受け筒部の外周面に締付固定されて、回動不能となる。
【００２４】
従って、押し戻し力によっては、操作部が移動しないように保持される。
【発明を実施するための最良の形態】
【００２５】
次に、図面に基づいて、この発明を実施するための最良の実施の形態のケーブル式可動部材の操作装置について、説明する。
【００２６】
なお、前記従来例と同一乃至均等な部分については、同一符号を付して説明する。
【００２７】
図１乃至図８は、この発明の最良の実施の形態のケーブル式可動部材の操作装置を示すものである。
【００２８】
まず、全体の構成について説明すると、この実施の形態のケーブル式可動部材の操作装置は、図１及び図２に示すように、操作部としての操作ノブ部１７が連結される操作プーリ１０と、可動部材としてのエアミックスドア３に回動軸３ａを介して、連動する従動プーリ１１と、この操作プーリ１０の回転を前記従動プーリ１１に伝達させるコントロールケーブルとしてのワイヤケーブル６とを有して、主に構成されている。
【００２９】
このうち、前記操作プーリ１０は、図１に示すように、前面側カバー部材１２と、この前面側カバー部材１２によって、開口部１３ａが閉塞される後面側カバー部材１３と、これらの前面側カバー部材１２及び後面側カバー部材１３との間に設けられて、前記後面側カバー部材１３の底面部１３ｂから突設される軸受け筒部１３ｃ及び、前記前面側カバー部材１２の軸受け部１２ａに挿通されることにより、軸支される回転軸部材１４を有している。
【００３０】
また、この回転軸部材１４の円盤部１４ｄには、前記底面部１３ｂ側に向けて、軸側筒状部１４ａが、一体となるように延設されている。
【００３１】
この軸側筒状部１４ａには、切り欠き状の長孔部１４ｂ，１４ｂが、軸を挟んで一対開口形成されている。
【００３２】
また、この軸側筒状側面部１４ａの内側には、この操作プーリ１０側からの回転操作を許容すると共に、前記従動プーリ側１１からの回転を阻止するバネ状部材１５が設けられている。
【００３３】
前記バネ状部材１５は、前記回転軸部材１４の軸部１４ｃの周縁に巻き廻されたバネ本体部１５ａの外周縁から、両端部１５ｂ，１５ｂを外側方へ向けて突出させている。
【００３４】
このバネ状部材１５では、前記軸受け筒部１３ｃの外周面に対して、前記両端部１５ｂ，１５ｂの閉塞方向への移動で、バネ本体部１５ａが、締付固着されると共に、両端部１５ｂ，１５ｂの拡開方向への移動で、このバネ本体部１５ａが、外周面に沿って、回動自在となるように構成されている。
【００３５】
この実施の形態では、更に、図４に示すように、前記両端部１５ｂ，１５ｂ間に、操作力及び、押し戻し力が作用していない状態では、前記バネ本体部１５ａが、外周面に沿って、回動自在となるように保持されている。
【００３６】
また、この回転軸部材１４の円盤部１４ｄには、係合突起１４ｅが設けられていて、この操作プーリ１０内で、この回転軸部材１４の前記軸側筒状側面部１４ａと重複するケーブル側筒状側面部１６ｂを有する筒状操作プーリ部材１６に形成された係合長溝部１６ａと、係合されている。
【００３７】
更に、この筒状操作プーリ部材１６には、切り欠き状の長孔部１６ｃ，１６ｃが、軸を挟んで一対開口形成されている。
【００３８】
また、図４に示すように、前記回転軸部材１４の軸側筒状部１４ａに形成された長孔部１４ｂ，１４ｂ及び、対向するこれらの長孔部１６ｃ，１６ｃには、前記バネ状部材１５の端部１５ｂ，１５ｂが各々挿通されている。
【００３９】
そして、これらの長孔部１４ｂ若しくは長孔部１６ｃの両側縁に位置する各内周縁部に、これらの端部１５ｂ，１５ｂを各々当接させることにより、このバネ状部材１５の両端部１５ｂ，１５ｂ間を、図７及び図８に示すように、閉塞若しくは、図５及び図６に示すように拡開方向に移動させるように構成されている。
【００４０】
次に、この実施の形態のケーブル式可動部材の操作装置の作用効果について説明する。
【００４１】
このように構成された実施の形態のケーブル式可動部材の操作装置では、前記操作ノブ部１７の位置が、図中水平位置等、非操作状態では、前記係合突起１４ｅが、前記係合長溝部１６ａ内で遊嵌されている。
【００４２】
このため、前記エアミックスドア３が、押し戻されても、操作プーリ１０の回転軸部材１４に、ワイヤケーブル６からの押し戻し力が伝わらず、所謂遊びにより、前記操作ノブ部１７が回転しない。
【００４３】
そして、図４に示すように、前記エアコンユニット２内の風量の増量で、エアミックスドア３から、従属プーリ１１側に連結されたワイヤケーブル６を介して、前記筒状操作プーリ部材１６に、押し戻し力が伝えられると、この筒状操作プーリ部材１６では、図中矢印で示すように、右廻りに回転が開始される。
【００４４】
この筒状操作プーリ部材１６の右廻りの回転により、図中上側の前記長孔部１６ｃの側端縁が、前記バネ状部材１５の一端部１５ｂに当接して、両端部１５ｂ，１５ｂ間を閉塞する方向へ押圧する。
【００４５】
このため、図中白抜き矢印で示すように、前記バネ本体部１５ａが、前記軸受け筒部１３ｃの外周面に締付固定されて、ロックされる。従って、筒状操作プーリ部材１６は、従動プーリ１１と共に回動不能となり、前記回動軸部材１４に、この押し戻し力は伝わらず、押し戻し力によっては、前記操作ノブ部１７が、移動しないように保持される。
【００４６】
また、前記図３に示す中立位置の状態では、前記バネ状部材１５の両端部１５ｂ，１５ｂは、長孔部１４ｂ，１４ｂ及び長孔部１６ｃ，１６ｃの内周縁部に当接していないので、前記バネ本体部１５ａは、前記軸受け筒部１３ｃの外周面に対して回動自在である。
【００４７】
このため、前記操作ノブ部１７を、図中左廻りに回動操作すると、図５に示すように、回動角度α＝約２度までは、回転が許容されて、次に、図５乃至図６に示す回動角度α＝約２度乃至１０度までの間では、前記回転軸部材１４も、軸支された前記軸受け筒部１３ｃ，及び前記軸受け部１２ａ内で回転して、前記係合長孔１６ｃ内側縁に、前記係合突起１４ｅを当接させることにより、前記筒状操作プーリ部材１６を回転させて、ワイヤケーブル６で連結された前記従動プーリ１１を、回転駆動させることができる。
【００４８】
この際、図６に示すように前記長孔部１４ｂの内側縁部が、前記バネ状部材１５の一端部１５ｂを当接させたまま、両端部１５ｂ，１５ｂ間を拡開させる方向へ向けて押圧して、前記軸受け筒部１３ｃの外側面から、前記バネ状部材１５のバネ本体部１５ａを離間させる。
【００４９】
次に、図７に示すように、図６に示す左廻りに約１０度回動操作された操作ノブ位置から、前記エアコンユニット２内の風量の増量で、エアミックスドア３から、従属プーリ１１側に連結されたワイヤケーブル６を介して、前記筒状操作プーリ部材１６に、押し戻し力が伝えられると、この筒状操作プーリ部材１６では、図中矢印で示すように、右廻りに回転が開始される。
【００５０】
この筒状操作プーリ部材１６の右廻りの回転により、図中上側の前記長孔部１６ｃの側端縁が、前記バネ状部材１５の一端部１５ｂに当接して、両端部１５ｂ，１５ｂ間を閉塞する方向へ押圧する。
【００５１】
このため、前記バネ本体部１５ａが、前記軸受け筒部１３ｃの外周面に締付固定されて、ロックされることにより、筒状操作プーリ部材１６は、従動プーリ１１と共に回動不能となる。
【００５２】
従って、前記回動軸部材１４に、この押し戻し力は伝わらず、押し戻し力によっては、前記操作ノブ部１７が、移動しないように保持される。
【００５３】
更に、図８に示すように、図６に示す左廻りに約１０度回動操作された操作ノブ位置から、前記エアコンユニット２内の風量の増量で、エアミックスドア３から、従属プーリ１１側に連結されたワイヤケーブル６を介して、前記筒状操作プーリ部材１６に、押し戻し力が伝えられて、この筒状操作プーリ部材１６では、図中矢印で示すように、左廻りに回転が開始される場合がある。
【００５４】
この場合、筒状操作プーリ部材１６の左廻りの回転により、図中下側の前記長孔部１６ｃの側端縁が、前記バネ状部材１５の一端部１５ｂに当接して、両端部１５ｂ，１５ｂ間を閉塞する方向へ押圧する。
【００５５】
このため、前記バネ本体部１５ａが、前記軸受け筒部１３ｃの外周面に締付固定されて、ロックされることにより、筒状操作プーリ部材１６は、従動プーリ１１と共に回動不能となる。
【００５６】
従って、前記回動軸部材１４に、この押し戻し力は伝わらず、押し戻し力によっては、前記操作ノブ部１７が、移動しないように保持される。
【００５７】
このように、前記操作ノブ部１７の操作により、前記エアミックスドア３の回動角度が、一定の角度に調整された後でも、前記バネ状部材１５のロックで、エアミックスドア３から伝えられる押し戻し力では、前記操作ノブ部１７が移動しないので、従来のように、クリック力を強く設定する必要が無くなり、操作性を向上させることができる。
【００５８】
以上、図面を参照して、本発明の実施の形態を詳述してきたが、具体的な構成は、この実施の形態に限らず、本発明の要旨を逸脱しない程度の設計的変更は、本発明に含まれる。
【００５９】
即ち、前記実施の形態では、前記操作プーリ１０の回転軸部材１４に、バネ状部材１５を設けているが、前記従動プーリ１１の回転軸に、前記バネ状部材１５を設けるようにしてていても良く、操作プーリ１０若しくは従動プーリ１１の少なくとも何れか一方に設けられているもので有ればよく、バネ状部材１５の数量，形状，及び、材質が、特に限定されるものではない。
【００６０】
また、前記可動部材として、エアミックスドア３を用いて説明してきたが、特にこれに限らず、例えば、内外気切換ドアや他の風量、風向調整ドア等、従動プーリ１１に連動するものであれば、どのようなものに用いてもよい。
【図面の簡単な説明】
【００６１】
【図１】この発明の最良の実施の形態のケーブル式可動部材の操作装置で、要部の構成を説明する分解斜視図である。
【図２】この発明の最良の実施の形態のケーブル式可動部材の操作装置で、図１中Ａ−Ａ線に沿った位置に相当する構成を説明する断面図である。
【図３】この発明の最良の実施の形態のケーブル式可動部材の操作装置で、各部材の中立位置を示すＢ−Ｂ線に相当する位置での断面図である。
【図４】この発明の最良の実施の形態のケーブル式可動部材の操作装置で、各部材の中立位置から、右に２度押し戻された各部材の状態を示すＢ−Ｂ線に相当する位置での断面図である。
【図５】この発明の最良の実施の形態のケーブル式可動部材の操作装置で、操作ノブ部を左に２度回転操作した各部材の状態を示すＢ−Ｂ線に相当する位置での断面図である。
【図６】この発明の最良の実施の形態のケーブル式可動部材の操作装置で、操作ノブ部を左に１０度回転操作した各部材の状態を示すＢ−Ｂ線に相当する位置での断面図である。
【図７】この発明の最良の実施の形態のケーブル式可動部材の操作装置で、操作ノブ部が、左に８度回転操作された状態から、右に２度押し戻された各部材の状態を示すＢ−Ｂ線に相当する位置での断面図である。
【図８】この発明の最良の実施の形態のケーブル式可動部材の操作装置で、操作ノブ部が、左に８度回転操作された状態から、更に左に押し戻された各部材の状態を示すＢ−Ｂ線に相当する位置での断面図である。
【図９】従来例のケーブル式可動部材の操作装置で、操作パネル近傍の構成を説明する斜視図である。
【図１０】従来例のケーブル式可動部材の操作装置で、全体の構成を説明する模式図である。
【符号の説明】
【００６２】
３            エアミックスドア（可動部材）
６            ワイヤケーブル（コントロールケーブル）
１０          操作プーリ
１１          従動プーリ
１２ａ        軸受け部
１３ａ        軸受け筒部
１４          回転軸部材（回転軸）
１４ａ        軸側筒状側面部
１４ｂ        長孔部
１４ｃ        軸部
１５          バネ状部材
１５ａ        バネ本体部
１５ｂ，１５ｂ  端部
１６          筒状操作プーリ部材
１６ｂ        ケーブル側筒状側面部
１６ｃ        長孔部
【図１】
2008222046.tif 000003
【図２】
2008222046.tif 000004
【図３】
2008222046.tif 000005
【図４】
2008222046.tif 000006
【図５】
2008222046.tif 000007
【図６】
2008222046.tif 000008
【図７】
2008222046.tif 000009
【図８】
2008222046.tif 000010
【図９】
2008222046.tif 000011
【図１０】
2008222046.tif 000012